(57)【要約】  本明細書では、巻回された金属ストリップ（２）、特にアルミニウムストリップからなり、金属ストリップ（２）の平坦側（２．１）に目印（３，１０３）を有しているコイル（１）が示される。とりわけ、ここでは、当該コイル（１）から分離されたストリップ部分（７）を一義的に識別できるようにするために、目印（３，１０３）は、コイル（１）から分離されたストリップ部分（７）を、コイル（１）にも、コイル（１）におけるそれらの元の位置にも割り当てるために、ドゥブリュエイン列（５）の相前後して配置された単語（５．１，５．２，５．３，５．４，５．５もしくは５．６〜５．２５）からなるかまたは当該ドゥブリュエイン列（５）の単語（５．１，５．２，５．３，５．４，５．５もしくは５．６〜５．２５）の部分集合からなるドゥブリュエイン列（５）を有する、金属ストリップ（２）の好適にはストリップ全長（Ｌ）にわたって設けられた情報トラック（４）を有することが提案される。
2021518272.tif 000002
【特許請求の範囲】
【請求項１】
巻回された金属ストリップ（２）、特にアルミニウムストリップからなる、前記金属ストリップ（２）の平坦側（２．１）に目印（３，１０３）を有しているコイルにおいて、
前記目印（３，１０３）は、前記コイル（１）から分離されたストリップ部分（７）を、前記コイル（１）にも、前記コイル（１）におけるそれらの元の位置にも割り当てるために、ドゥブリュエイン列（５）の相前後して配置された単語（５．１，５．２，５．３，５．４，５．５もしくは５．６〜５．２５）からなるかまたは当該ドゥブリュエイン列（５）の単語（５．１，５．２，５．３，５．４，５．５もしくは５．６〜５．２５）の部分集合からなるドゥブリュエイン列（５）を有する、前記金属ストリップ（２）の好適にはストリップ全長（Ｌ）にわたって設けられた情報トラック（４）を有していることを特徴とする、コイル。
【請求項２】
前記情報トラック（４）は、一次元または二次元のドゥブリュエイン列（５）を有する、請求項１記載のコイル。
【請求項３】
前記ドゥブリュエイン列（５）は、次数がｋ、特に１０で、長さがｎ、特に６以上の前記単語（５．１，５．２，５．３，５．４，５．５もしくは５．６〜５．２５）を有する、請求項１または２記載のコイル。
【請求項４】
前記ドゥブリュエイン列（５）の前記単語は、英数字のまたは数値的なアルファベットから形成される、請求項１から３までのいずれか１項記載のコイル。
【請求項５】
前記情報トラック（４）は、前記ドゥブリュエイン列（５）の前記各単語の前および／または後に、各々同一の指標（６）、例えば１つ以上の好適にはアルファベット順のアルファベットの文字からなる指標（６）を有する、請求項１から４までのいずれか１項記載のコイル。
【請求項６】
前記指標（６）のアルファベットは、前記ドゥブリュエイン列（５）のアルファベットとは異なる、請求項５記載のコイル。
【請求項７】
コイル（１）に巻回された金属ストリップ（２）の平坦側（２．１）への目印（３，１０３）の使用であって、
前記目印（３，１０３）は、前記コイル（１）から分離されたストリップ部分（７）を、前記コイル（１）にも、前記コイル（１）におけるそれらの元の位置にも割り当てるために、ドゥブリュエイン列（５）の相前後して配置された単語（５．１，５．２，５．３，５．４，５．５もしくは５．６〜５．２５）からなるかまたは当該ドゥブリュエイン列（５）の単語（５．１，５．２，５．３，５．４，５．５もしくは５．６〜５．２５）の部分集合からなるドゥブリュエイン列（５）を有する、前記金属ストリップ（２）の好適にはストリップ全長（Ｌ）にわたって設けられた情報トラック（４）を有している、使用。
【請求項８】
前記情報トラック（４）は、一次元または二次元のドゥブリュエイン列（５）を有する、請求項７記載の使用。
【請求項９】
前記ドゥブリュエイン列（５）は、次数がｋ、特に１０で、長さがｎ、特に６以上の前記単語（５．１，５．２，５．３，５．４，５．５もしくは５．６〜５．２５）を有する、請求項７または８記載の使用。
【請求項１０】
前記ドゥブリュエイン列（５）の前記単語は、英数字のまたは数値的なアルファベットから形成される、請求項７から９までのいずれか１項記載の使用。
【請求項１１】
前記情報トラック（４）は、前記ドゥブリュエイン列（５）の前記各単語の前および／または後に、各々同一の指標（６）、例えば１つ以上の好適にはアルファベット順のアルファベットの文字からなる指標（６）を有する、請求項７から１０までのいずれか１項記載の使用。
【請求項１２】
前記指標（６）のアルファベットは、前記ドゥブリュエイン列（５）のアルファベットとは異なる、請求項７から１１までのいずれか１項記載の使用。
【請求項１３】
前記コイル（１）に関連するかまたは前記コイルから分離された前記ストリップ部分（７）に関連しているデータおよび／またはドキュメントの信頼性および／または整合性を検査するために、ハッシュ値が、前記コイル（１）の前記情報トラック（４）にわたって形成され、使用される、請求項７から１２までのいずれか１項記載の使用。
【発明の詳細な説明】
【技術分野】
【０００１】
本発明は、巻回された金属ストリップ、特にアルミニウムストリップからなる、金属ストリップの平坦側に目印を有しているコイルに関する。
【０００２】
背景技術
コイルに一義的な識別を与えるために、巻回されたもしくは巻き付けられた金属ストリップからなるコイルの端部側に目印を付与することは、従来技術から公知である。そのような金属ストリップの平坦側の識別子は、コイルの分離ステップの後に、例えばストリップ端部の一部が切断されたときに失われる欠点がある。また、コイルから分離されたすべてのストリップ部分、例えば、金属薄板、分割ストリップ、基板なども、端部側の金属薄板部分は別として、あらゆる目印が消失する。したがって、少なくともストリップ部分を遡ることは難しくなるかもはやまったく不可能になる。また、元の金属ストリップのストリップ部分の位置を逆推論することももはやできなくなる。
【０００３】
発明の開示
それゆえ、本発明の課題は、ストリップ部分が、それらが分離されたコイルにも、このコイルにおけるそれらの元の位置にも割り当てできるように、コイルの目印を変更することである。その他に、目印は視覚的に読みやすく、処理可能なものでなければならない。
【０００４】
本発明は、請求項１の特徴により、コイルに関して設定された課題を解決する。
【０００５】
目印が金属ストリップの好適にはストリップ全長にわたって設けられた情報トラックを有する場合、金属ストリップからの情報は、最初に金属ストリップから分離された各ストリップ部分に与えられ、該ストリップ部分を介して、少なくともストリップ部分が分離されたコイルを逆推論することができる。それゆえ、コイルから分離されたストリップ部分をコイルに割り当てることが可能になる。
【０００６】
さらに、この情報トラックが、ドゥブリュエイン（de-Brruijn）列の相前後して配置された単語からなるドゥブリュエイン列を有する場合、分離されたストリップ部分の各目印を介して、金属ストリップ内のその位置を逆推論することもできる。分離された各ストリップ部分には、即ち少なくとも１つの単語が、ドゥブリュエイン列の部分列として、例えばｋ種類の文字と長さ（文字数）がｎの単語を用いた好適には文字数字併用方式の、アルファベット（つまり文字数字）についてのドゥブリュエイン列Ｂ（ｋ，ｎ）の部分列として一度は存在する。それゆえ、分離されたストリップ部分における情報トラックの一部に基づいて、コイルの金属ストリップにおける位置もしくは関連する元のコイルに対する一義的な情報が使用できる。それゆえ、コイルから分離されたストリップ部分をコイルにおけるその元の位置に割り当てることが可能になる。
【０００７】
代替的に、この情報トラックは、当該ドゥブリュエイン列の単語の部分集合からなるドゥブリュエイン列（つまり文字数字列の単語を部分集合として有するドゥブリュエイン列）を有することもでき、これによって、ストリップ部分の以前の位置をストリップにおいて特定できるだけでなく、関連するストリップ部分がどのコイルから由来しているかを識別することもできる。各コイルは、即ち部分列に基づいてドゥブリュエイン列の一義的な区分を有し、このことは、当該区分を介して、ストリップ部分の派生元のコイルの識別も可能にさせる。
【０００８】
ストリップにおける情報トラックについての既知のデータを用いれば、ストリップ部分における１つの単語または場合によっては複数の単語に基づいて、例えばストリップにおけるこのストリップ部分の位置を逆推論することが可能になる。
【０００９】
それゆえ、本発明に基づけば、コイルから分離されたすべてのストリップ部分を遡って調べることが可能になり、したがって、そのストリップ部分から製造された部品、コンポーネントなどについても遡ることが可能になる。さらに、情報トラックは視覚的に比較的読みやすく、特に機械でも簡単に処理可能である。
【００１０】
ドゥブリュエイン列の単語は、相互に区別できる記号を含むアルファベット若しくは識別記号から形成することができる。そのようなアルファベット若しくは識別記号は、記号、色、文字、字句、数字、モールス記号など、またはそれらの組み合わせから形成することができる。
【００１１】
例えば、情報トラックは、一次元または二次元のドゥブリュエイン列を有することができる。一次元のドゥブリュエイン列に基づけば、さらに、情報トラックの情報処理、例えばデータの読み取り、ひいてはさらにデータの処理も簡単にすることができる。
【００１２】
好適には、ドゥブリュエイン列は、次数（例えば文字の種類）ｋと長さ（例えば文字の個数）がｎの単語（例えば文字列）とを有することができる。長さが６以上の単語を有する１０次のドゥブリュエイン列は、コイルをマーキングするのに特に確実性が高いことがわかった。
【００１３】
ドゥブリュエイン列の単語が英数字併用方式のまたは数値的なアルファベット（つまり数字列）から形成されている場合、これにより、情報トラックの情報処理（例えばデータの読み取り、ひいてはデータの処理など）をさらに簡単にすることができる。
【００１４】
情報トラックが、ドゥブリュエイン列の各単語の前および／または後で、各々同一の指標を有する場合、ストリップにおけるストリップ部分の以前の位置に関する情報の他に、ストリップ部分における固有情報を、例えばストリップ、生産者、顧客に関する情報、製造日などに関する情報をも提供することができる。この指標には、例えば好適には１つ以上のアルファベットの文字、例えばラテン文字が使用に適し得る。
【００１５】
指標とドゥブリュエイン列とを相互により簡単に分離できるようにするために、好適には、指標のアルファベットは、ドゥブリュエイン列のアルファベットとは異なっている。これにより、情報トラックの処理をさらに簡単にすることができる。
【００１６】
さらに、本発明の課題は、ストリップ部分を、それらが分離されたコイルにも、このコイルにおけるそれらの元の位置にも割り当てできることを可能にすること、つまり、ストリップ部分が、どのコイルのどの位置にあったのかを明らかにすることである。
【００１７】
本発明は、請求項７の特徴により、使用に関して設定された課題を解決する。
【００１８】
コイルに巻回された金属ストリップの平坦側に目印が使用される場合、ここでは、目印は、当該ドゥブリュエイン列の相前後して配置された単語からなるかまたは当該ドゥブリュエイン列の単語の部分集合からなるドゥブリュエイン列を有する、金属ストリップの好適にはストリップ全長にわたって設けられた情報トラックを有し、コイルから分離されたストリップ部分を、当該コイルにも、当該コイルにおけるそれらの元の位置にも割り当てることが可能になる。
【００１９】
分離された各ストリップ部分には、詳細には少なくとも１つの単語（文字列）が、ドゥブリュエイン列、例えばｋ文字（ｋ種類の文字）の集合で長さ（文字数）がｎの単語を用いた好適には文字数字併用方式のアルファベットについてのドゥブリュエイン列Ｂ（ｋ，ｎ）の部分列として一度は存在している。それゆえ、分離されたストリップ部分における情報トラックの一部に基づいて、コイルの金属ストリップにおける位置もしくは関連する元のコイルに対する一義的な情報が使用できる。それゆえ、コイルから分離されたストリップ部分をそのコイルにおけるその元の位置に割り当てることが可能になる。
【００２０】
それゆえ、本発明に基づけば、コイルから分離されたすべてのストリップ部分、したがって、そこから製造された部品、コンポーネントなどについても遡って確認することが可能になる。さらに、情報トラックは視覚的に比較的読みやすく、特に機械でも簡単に処理可能である。
【００２１】
例えば、情報トラックは、一次元または二次元のドゥブリュエイン列を有することができる。一次元のドゥブリュエイン列に基づけば、さらに、情報トラックの、例えば読み取り、ひいてはさらにデータの処理などの情報処理も簡単にすることができる。それゆえ、使用される情報トラックの取り扱いが簡単になる。
【００２２】
好適には、ドゥブリュエイン列は、その使用において、文字または数字の種類を示す次数がｋで、文字または数字の数を示す長さがｎの単語を有することができる。長さが６以上の単語を有する１０次のドゥブリュエイン列は、コイルをマーキングするのに特に確実性が高いことがわかった。
【００２３】
ドゥブリュエイン列の単語が英数字併用方式のまたは数値的なアルファベットから形成される場合、十分に長いドゥブリュエイン列を確保できる。その他に、これによって、情報トラックの使用を（例えば読み取り、ひいてはデータの処理なども）さらに簡単にすることができる。
【００２４】
情報トラックが、ドゥブリュエイン列の各単語の前および／または後に各々同一の指標を、例えば１つ以上の好適にはアルファベットの文字からなる指標を有する場合、ストリップ、生産者、顧客、製造日などに関する情報を確実な方法で目印に追加することができる。
【００２５】
好適には、指標のアルファベットは、指標とドゥブリュエイン列とを相互により簡単に区別できるようにするために、ドゥブリュエイン列のアルファベット（文字または数字）とは異なっている。これにより、情報トラックの処理性をさらに簡単にすることができる。
【００２６】
ハッシュ値が、コイルの情報トラックにわたって形成される場合、このハッシュ値は、コイルに関連するかまたはコイルから分離されたストリップ部分に関連しているデータおよび／またはドキュメントの信頼性および／または整合性を検査するために使用することができる。したがって、このハッシュ値が設けられたデータもしくはこのハッシュ値が設けられたドキュメント、例えば、納品書、電子ドキュメントなどは、コイルに一義的に割り当て可能になる。それゆえ、偽造、改ざんなどは、容易に識別できる。
【００２７】
図面には、例えば、本発明の対象が複数の変形実施形態に基づいてより詳細に示されている。
【図面の簡単な説明】
【００２８】
【図１】第１実施例に従ってコイルに巻回される金属ストリップの平面図
【図２】第２実施例に従ってコイルに巻回される金属ストリップの平面図
【００２９】
発明を実施するための方法
図１によれば、例えば、コイル１もしくはコイル体に巻回された金属ストリップ２、詳細にはアルミニウムストリップが、第１の実施例に従って示され、これは、平坦側２．１にコイル１の好適には一義的な識別のための目印３を有する。この目印３は金属ストリップ２に印刷されている。ただし、この目印３は、金属ストリップ２に接着された詳細には示されていないラベル上に設けられていてもよい。
【００３０】
本発明によれば、この印刷された目印３は、情報トラック４を示す。この情報トラック４は、金属ストリップ２のストリップ全長Ｌにわたって設けられており、つまり、好適には金属ストリップ２の長手方向縁部の領域に設けられている。さらに、この情報トラック４は、ドゥブリュエイン（de-Bruijn）列５の相前後して配置された文字列（この場合には数字列）の単語５．１，５．２，５．３，５．４，５．５を有する。これらの単語５．１，５．２，５．３，５．４，５．５は、図１では、より良好な可視化のために、スペースによって相互に離間されて示されているが、図２の目印１０３において明らかなように、目印３はスペースなしで形成されていることも十分に考えられる。
【００３１】
ここでは、例えば、特に自然数からなる好適には数値的なアルファベット（即ち数字）｛０，１，２，３，４｝についてのドゥブリュエイン列Ｂ（５，３）が採用されている。つまり、数字列としての単語５．１，５．２，５．３，５．４，５．５は、長さｎ（数列における数字の個数）、詳細には３を有し、ドゥブリュエイン列Ｂ（ｋ，ｎ）は、数字の種類を示す次数ｋ、詳細には５を有する。このドゥブリュエイン列Ｂ（５，３）から、図１では、数字列としての単語｛４０２｝、｛３０１｝、｛２０１｝、｛１０１｝、および｛４０１｝が認識可能である。この手段により、ドゥブリュエイン列の各々の単語５．１，５．２，５．３，５．４，５．５は、１回だけ金属ストリップ２における情報トラック４において発生する。
【００３２】
その他に、ドゥブリュエイン列Ｂ（５，３）の各単語５．１，５．２，５．３，５．４，５．５の前に情報トラック４は、製造元を表す同一の指標６、詳細には「ａｍａｇ」を有する。また、指標６を利用して情報トラック４にコイル番号、製造元コードなどを加えることも考えられる。この同一の指標６には、アルファベット順のアルファベット、例えばラテン文字からなる複数の文字が使用される。
【００３３】
ドゥブリュエイン列の単語の数値的なアルファベット（即ち数字）、ならびに指標６のアルファベット順のアルファベットにより、目印３は、視覚的に読みやすく、したがって安定した方法で処理可能である。
【００３４】
それゆえ、本発明によれば、ストリップ部分７が金属ストリップ２から分離された後でも、ストリップ部分７上に残留する情報トラック４を介して、指標「ａｍａｇ」を有する元のコイルを逆推論するだけでなく、単語５．１、即ち｛４０１｝、および／または単語５．２、即ち｛１０１｝を介して、コイル１の金属ストリップ２におけるストリップ部分７の元の位置を逆推論することも可能である。さらに、この情報トラック４は、視覚的に比較的簡単に認識可能であり、したがって、その情報を容易に処理することができる。
【００３５】
このことは、コイル１における情報トラックの既知の位置の扱いやすい簡単な比較によって行われる。本発明によれば、図１中の単語５．３、つまり｛２０１｝において認識され得るように切断された目印３が、ストリップ部分７を遡って追跡することを困難にすることはない。
【００３６】
さらに、図１から読み取れるように、情報トラック４は、ドゥブリュエイン列Ｂ（５，３）のすべての単語を部分列として有する。したがって、ドゥブリュエイン列Ｂ（５，３）は、複数のコイルを、それらから分離されるストリップ部分７の一義的な識別子でマーキングするために使用することができる。
【００３７】
図１とは対照的に、図２による第２の実施例において、コイル１における目印１０３は、平坦側２．１において向かい合った長手側縁２．２，２．３に沿って設けられている。したがって、目印１０３は、２つの分割ストリップ７．１，７．２に分割されたストリップ部分７上に存在し続けることができる。さらに、目印１０３は、分割ストリップ７．１，７．２が、分割されたストリップ部分のどちら側であるかを認識できるようにするために、サイド側ナンバリング８（詳細には１または２）を有する。
【００３８】
指標６、詳細には「ａｍａｇ」は、情報トラック４に存在する。この指標６は、図１中のドゥブリュエイン列Ｂ（５，３）の場合と同様にドゥブリュエイン列Ｂ（５，３）の２つの単語の間５．６−５．２４で発生する。ただし、図示のように、指標６は、それぞれ、ドゥブリュエイン列Ｂ（５，３）の各５つの単語５．６−５．１０、５．１１−５．１５、５．１６−５．２０、および５．２１−５．２５の後に設けられている。単語５．６−５．１０、即ち｛０００｝，｛００１｝，｛０１０｝，｛１００｝，｛００２｝、単語５．１１−５．１５、即ち｛００３｝，｛０３０｝，｛３０１｝，｛０１１｝，｛１１０｝、単語５．１６−５．２０、即ち｛１３０｝，｛３０２｝，｛０２１｝，｛２１０｝，｛１０２｝、および単語５．２１−５．２５、即ち｛２０２｝，｛０２３｝，｛２３０｝，｛３０３｝，｛０３１｝は、同様に相前後して配置されている。単語５．１０と５．１１との間には、さらにドゥブリュエイン列Ｂ（５，３）の単語｛０２０｝，｛２００｝が存在し、単語５．１５と５．１６との間には、さらにドゥブリュエイン列Ｂ（５，３）の単語｛１０１｝，｛０１３｝が存在し、単語５．２０と５．２１との間には、さらにドゥブリュエイン列Ｂ（５，３）の単語｛０２２｝，｛２２０｝が存在している。ここでは、ストリップ２の自由端部に、ドゥブリュエイン列Ｂ（５，３）の単語｛１２０｝を見付けることができる。
【００３９】
情報トラック４からは、コイル１の好適には情報トラック４全体にわたってハッシュ値が形成される。例えば、情報トラック４の「０００１００２ａｍａｇ００３０１１０ａｍａｇ１２０」からは、ハッシュ関数ＣＲＣ３２を使用してハッシュ値５ｃｅ０ｃ２２ａが形成される。このハッシュ値５ｃｅ０ｃ２２ａは、情報トラック４への一義的な参照を形成する。したがって、データまたはドキュメントが、ハッシュ値と結合されるかもしくはハッシュ値を備えている場合、これらのデータまたはこれらのドキュメントの信頼性および／または整合性を検査することができる。
【図１】
2021518272.tif 000003
【図２】
2021518272.tif 000004
【国際調査報告】
2021518272.tif 000005
2021518272.tif 000006
2021518272.tif 000007
2021518272.tif 000008